(57)【特許請求の範囲】
【請求項１】
固定側メンバーと、固定側メンバーに摺動自在となした中間メンバーと、中間メンバーに摺動自在となした移動側メンバーが最大伸長位置で互いにロック状態となり、移動側メンバーの収納方向への摺動によって、固定側メンバーに対する中間メンバーのロック状態が解除されるスライドレールにおいて、中間メンバーの後端部に回動自在に設けられ、移動側メンバーの摺動によって固定側メンバーに係脱自在となした回動ロック片は、取付基板と、取付基板の下端部に形成されたロック解除案内突片と、取付基板の後端の下端部に形成され、回動範囲規制孔を貫通し、固定側メンバーの基板方向に突出する姿勢維持突片と、姿勢維持突片の固定側メンバーの基板側端部から固定側メンバーの下側の折曲縁方向に突出するロック用突片より構成され、姿勢維持突片は固定側メンバーの基板方向で、固定側メンバーの下側の折曲縁側に傾斜する一方、ロック用突片に対応する係止部が、固定側メンバーの折曲縁に形成されている事を特徴とするスライドレール。
【発明の詳細な説明】
【０００１】
【発明の属する技術分野】
本発明は、引出し、機器等を最も引き出した状態（最大伸長状態）で、各メンバーがロックされ、不用意に収納される事がないスライドレールに関するものである。
【０００２】
【従来の技術】
従来、移動側メンバーの摺動によって、中間メンバーの後端部内面に回動自在に設けられた回動ロック片が係脱するストッパーは、固定側メンバーの基板内面の中間部に、中間メンバー側に突出して形成され、ストッパーに係脱する回動ロック片の係止突片は、固定側メンバーの基板方向に突出して形成されていた。（実公平５−１７９５２号）
この為、係止片が、中間メンバーと共に摺動する途中で、固定側メンバーの固定用ビスの頭部が中間メンバー側に突出しているので、これに接触したり、あるいは、引っ掛かったりする事があり、この為、スライドレールの摺動中に異音が発生したり、均一な摺動力が得られず、摺動操作に違和感が生じたりしていた
【０００３】
【発明が解決しようとする課題】
本発明は、上記問題に鑑みてなされたものであり、簡単な構造で、部品点数の増加もなく、安価に製作でき、スムースな摺動状態を得る事ができるスライドレールを提供する事を課題とする。
【０００４】
【課題を解決する為の手段】
そこで、上記課題を解決する為、本発明の第１の手段として構成したところは、固定側メンバーと、固定側メンバーに摺動自在となした中間メンバーと、中間メンバーに摺動自在となした移動側メンバーが最大伸長位置で互いにロック状態となり、移動側メンバーの収納方向への摺動によって、固定側メンバーに対する中間メンバーのロック状態が解除されるスライドレールにおいて、中間メンバーの後端部に回動自在に設けられ、移動側メンバーの摺動によって固定側メンバーに係脱自在となした回動ロック片は、取付基板と、取付基板の下端部に形成されたロック解除案内突片と、取付基板の後端の下端部に形成され、回動範囲規制孔を貫通し、固定側メンバーの基板方向に突出する姿勢維持突片と、姿勢維持突片の固定側メンバーの基板側端部から固定側メンバーの下側の折曲縁方向に突出するロック用突片より構成され、姿勢維持突片は固定側メンバーの基板方向で、固定側メンバーの下側の折曲縁側に傾斜する一方、ロック用突片に対応する係止部が、固定側メンバーの折曲縁に形成されているものである。
【０００７】
【実施例】
以下実施例を図面に基づいて説明する。
図１、図３において、符号１は固定側メンバーを示し、符号３は中間メンバーを示し、符号５は移動側メンバーを示している。
中間メンバー３はボール２０・・・を回転自在に保持するボールリテーナー２を介して、固定側メンバー１と摺動自在で、移動側メンバー５は、ボール４０・・・を回転自在に保持するボールリテーナー４を介して中間メンバー３と摺動自在である。
【０００８】
固定側メンバー１は、帯状金属板の上下端部を外向き円弧状に彎曲せしめて、内面長手方向にボール案内溝が形成された上下の折曲縁１１、１１と基板１２より断面略Ｃ字形に形成されている。
そして、基板１２の前後端部を移動側メンバー５側に突出せしめて、ボールリテーナー２、中間メンバー３の摺動範囲を規制する中間メンバー前ストッパー（図示せず。）、中間メンバー後ストッパー１３を形成している。
符号１４は、固定側メンバー１を機器本体等に連結する為の連結孔を示し、符号１５、１５は、後記する回動ロック片７の係止部を示している。
【０００９】
中間メンバー３は、内メンバー３１と外メンバー３２より構成されている。
内メンバー３１は、固定側メンバー１の約２分の１程度の長さで、固定側メンバー１に挿入可能な大きさに、帯状金属板の上下端部を内向き円弧状に彎曲せしめて、外面長手方向にボール案内溝が形成された上下の折曲縁３１１、３１１と、基板３１２より断面略Ｃ字形に形成されている。
そして、中間メンバー３の最大伸長状態で、中間メンバー前ストッパー（図示せず。）に前端が当接したボールリテーナー２の後端に当接する内メンバー後ストッパー３１３が、基板３１２の後端部を固定側メンバー１側に突出せしめて形成されている。
【００１０】
外メンバー３２は、固定側メンバー１とほぼ同長で、帯状金属板の上下端部を外向き円弧状に彎曲せしめて、内面長手方向にボール案内溝が形成された上下の折曲縁３２１、３２１と基板３２２より、固定側メンバー１と断面同形の略Ｃ字形に形成されている。
そして、基板３２２の後端部を固定側メンバー１側に突出せしめて、固定側メンバー１に収納された時、中間メンバー後ストッパー１３に当接する外メンバー後ストッパー３２３が形成され、外メンバー後ストッパー３２３の所定寸法前側に、後記する回動ロック片７の後端部が嵌挿する回動範囲規制孔７００が形成され、回動ロック片７の取付け位置の所定寸法前方に、移動側メンバー５側に突出するリテーナーストッパー３２４が形成されている。
【００１１】
一方、基板３２２の前端部には、移動側メンバー５側に突出する前部ストッパー（図示せず。）を前端中央部内面に有するストッパー部材８が設けられ、基板３２２の後端部には後部が回動規制孔７００を嵌挿する回動ロック片７が回動自在に設けられ、内メンバー３１の後端部（内メンバー後ストッパー３１３）が外メンバー３２のロック片貫通孔７０の所定寸法前方に位置する状態で、基板３１２、３２２同士を固着して、中間メンバー３は構成されている。
【００１２】
移動側メンバー５は、固定側メンバー１とほぼ同長で、金属製の細長条板の短手両端部を内向き円弧状に折り曲げて形成された外面長手方向（摺動方向）にボール案内溝を有する上下の折曲縁５１、５１と、基板５２より、断面略Ｃ字形に形成されている。  符号５４・・・は、ＯＡ機器等の部材との取付孔を示している。
【００１３】
そして、移動側メンバー５が、中間メンバー３の外メンバー３２内に完全に収納された時、基板３２２の前端部に設けられたストッパー部材８の一部に当接して、移動側メンバー５の収納方向への摺動を停止せしめる移動側メンバーストッパー５３、５３が、両折曲縁５１、５１の前端部に外方に突出して形成されている。
さらに、移動側メンバー５が中間メンバー３に対し、最大伸長状態となった時、基板３２２の前端部に設けられたストッパー部材８の前部ストッパー（図示せず。）に係合して、移動側メンバー５の引出し方向への摺動を停止せしめる弾性ストッパー部材（図示せず。）が、基板５２の中程に設けられている。
そして、弾性ストッパー部材と前部ストッパーの係合状態を解除する事で移動側メンバー５は、中間メンバー３から抜き出し、および、収納可能となる。
【００１４】
ボールリテーナー２は、固定側メンバー１の半分程度の長さの金属製の細長条板の短手両端部を、固定側メンバー１の上下の折曲縁１１、１１と中間メンバー３（内メンバー３１）の上下の折曲縁３１１、３１１間に突出せしめたＬ字形の折曲片２１、２１と、折曲片２１、２１間に略コ字形に形成された基板２２より構成され、折曲片２１、２１の長手方向にボール２０・・・を回転自在に保持している。
そして、中間メンバー３の最大伸長状態で、ボールリテーナー２の基板２２の前端部は、固定側メンバー１の中間メンバー前ストッパー（図示せず。）の内面に当接し、基板２２の後端には中間メンバー３（内メンバー３１）の内メンバー後ストッパー３１３が当接する。
【００１５】
ボールリテーナー４は、移動側メンバー５の半分程度の長さの金属製の細長条板の短手両端部を、移動側メンバー５の上下の折曲縁５１、５１と中間メンバー３（外メンバー３２）の上下の折曲縁３２１、３２１間に突出せしめたＬ字形の折曲片４１、４１と、折曲片４１、４１間に略コ字形に形成された基板４２より構成され、折曲片４１、４１の長手方向にボール４０・・・を回転自在に保持している。
そして、移動側メンバー５の最大伸長状態で、ボールリテーナー４の基板４２の前端部は、中間メンバー３（外メンバー３２）のストッパー部材８の一部に当接し、移動側メンバー５が最も収納された状態で、基板４２の後端は、中間メンバー３（外メンバー３２）のリテーナーストッパー３２４に当接する。
【００１６】
回動ロック片７は、前端部に取付孔７０を有する取付基板７１と、取付基板７１の上下端部に形成された、移動側メンバー５の基板５２方向に突出し、後方に向かって互いの間隔が広がる（移動側メンバー５の上下の折曲縁５１、５１方向に傾斜する）よう傾斜したロック解除案内突片７２、７２と、取付基板５２の後端上下端部に形成され、回動範囲規制孔７００を貫通し、固定側メンバー１の基板１２方向に突出する姿勢維持突片７３、７３と、姿勢維持突片７３、７３の固定側メンバー１の基板１２側の端部から固定側メンバー１の上下の折曲縁１１、１１方向に突出するロック用突片７４、７４より構成され、連結ピン７５にて中間メンバー３の後部所定位置に回動自在に連結されている。
【００１７】
尚、ロック解除案内突片７２、７２と姿勢維持突片７３、７３と、ロック用突片７４、７４と、ロック用突片７４、７４に対応する固定側メンバー１の係止部１５、１５が上下に対称的に設けられているのは、スライドレールを左右兼用として使用する為である。
又、上記姿勢維持突片７３、７３は固定側メンバー１の基板１２方向に向かって互いの間隔が広がるよう傾斜しており（固定側メンバー１の基板１２方向で、固定側メンバー１の折曲縁１１、１１側に傾斜する）、下方の姿勢維持突片７３が回動範囲規制孔７００の下端縁に当接した状態で、回動ロック片７の自重が、ロック用突片７４、７４が常に固定側メンバー１の基板１２方向に移動するよう負荷されるので、ロック用突片７４は確実に係止部１５に係止する。
【００１８】
本発明は上記の如く構成され、固定側メンバー１の中間メンバー後ストッパー１３の内面に、中間メンバー３の外メンバー後ストッパー３５３が当接し、ストッパー部材８の一部に移動側メンバーストッパー５３、５３が当接した状態、すなわち、スライドレールが最も縮小した状態（この状態で、移動側レール５の下側の折曲縁５１の内面でが下側のロック解除案内突片７２を押し上げているので、下側のロック用突片７４は、固定側メンバー１の係止部１５から、上方に移動した位置で停止している。（図７、図８に示す状態）。
【００１９】
そして、移動側メンバー５が引き出されると、中間メンバー３の外メンバー３２に対し、移動側メンバー５は摺動し、移動側メンバー５の折曲縁５１の後端部が、回動ロック片７より前方に位置した時、回動ロック片７のロック用突片７４は、やや下方に変移して、固定側メンバー１の折曲縁１１内面に接触した状態となり、やがて、ボールリテーナー４の前端が中間メンバー３（外メンバー３２）のストッパー部材８の一部に当接し、同時に、移動側メンバー５の中程に設けられた弾性ストッパー部材（図示せず。）がストッパー部材８の前部ストッパー（図示せず。）に係合して、中間メンバー３に対する移動側メンバー５の摺動が停止する。
【００２０】
次に、固定側メンバー１に対し中間メンバー３が摺動すると、固定側メンバー１の折曲縁１１の内面に接触しながらロック用突片７４が中間メンバー３と共に摺動し、やがて、係止部１５にロック用突片７４が自重によって係止し（この時、下方の姿勢維持突片７３が回動範囲規制孔７００の下端縁に当接するので、必要以上に下方に回動する事はなく、又、回動ロック片７の自重により、ロック用突片７４、７４が常に固定側メンバー１の基板１２方向に負荷されるので、ロック用突片７４は確実に係止部１５に係止する。）、同時に、ボールリテーナー２の基板２２の前端部は、固定側メンバー１の中間メンバー前ストッパー（図示せず。）に当接し、中間メンバー３の内メンバー後ストッパー３１３がボールリテーナー２の後端に当接して、固定側メンバー１に対する中間メンバー３の摺動が停止する。この状態で、スライドレールは最大伸長状態が維持される。
【００２１】
上記の場合、まず、移動側メンバー５が中間メンバー３に対して摺動し、次に、中間メンバー３が固定側メンバー１に対し摺動する例を説明しているが、スライドレールによっては、移動側メンバー５と中間メンバー３が一緒に固定側メンバー１に対して摺動し、次に、中間メンバー３に対し移動側メンバー５が摺動する場合、あるいは、中間メンバー３が固定側メンバー１に対し、移動側メンバー５が中間メンバー３に対し、相互に同時に摺動する場合があるが、いずれの場合においても、移動側メンバー５の折曲縁５１の後端部が、回動ロック片７４より前方に位置した時、回動ロック片７のロック用突片７４は、係止部１５に係止可能姿勢となり、この状態で、ロック用突片７４が係止部１５の上方に位置した時自重で回動して、係止部１５に係止する事に変わりはない。
【００２２】
次に、弾性ストッパー部材（図示せず。）とストッパー部材８の前部ストッパー（図示せず。）との係合状態を解除して、移動側メンバー５を収納していくと、移動側メンバー５の下側の折曲縁５１の後端が、回動ロック片７の下側のロック解除案内突片７２に接触し（図５に示す状態。）ながら回動ロック片７を上方に回動させ、ロック用突片７４を係止部１５から逸脱させて、中間メンバー３と固定側メンバー１のロック状態を解除し（図７に示す状態。）、次に、下側の折曲縁５１が、ロック解除案内突片７２の下側に位置することで、ロック解除状態を維持した状態で、移動側メンバーストッパー５３、５３がストッパー部材８の一部に当接して、移動側メンバー５が中間メンバー３に収納され、次に、移動側メンバー５と中間メンバー３は、固定側メンバー１に対し摺動し、固定側メンバー１の中間メンバー後ストッパー１３の内面に、中間メンバー３の外メンバー後ストッパー３５３が当接して停止し、スライドレールが最も縮小した状態となる。
尚実施例では、ロック用係止突片７４が係止する係止部１５を、折曲縁１１の端部側を切り欠いて構成しているが、折曲縁１１にロック用係止突片７４が嵌入する孔を設けて係止部としてもよく、本発明の要旨を逸脱しない範囲で適宜変更可能である。
【００２３】
【発明の効果】
請求項１に記載の発明によれば、ロック用突片に対応する係止部が、固定側メンバーの折曲縁に設けられているので、係止部を固定側メンバーの基板から離間して形成することができ、中間メンバー側に突出する固定側メンバーの固定用ビスの頭部にロック用突片が、摺動途中に接触したり、あるいは、引っ掛かったりする事がなく、スライドレールの摺動中に異音の発生もなく、均一な摺動力が得られる。
そして、係止部は、固定側メンバーの折曲縁の一部を切り欠いて構成されているので、構造が簡単で、安価に製作出来、固定側メンバーの基板から最も離れた位置に形成できるので、均一な摺動力を確実なものとする事が出来る。
又、回動ロック片の姿勢維持突片は、回動範囲規制孔を貫通して、固定側メンバーの基板方向で、固定側メンバーの下側の折曲縁側に傾斜する一方、ロック用突片に対応する係止部が、固定側メンバーの折曲縁に形成されているので、ロック用突片と係止部の係止状態で、回動ロック片の自重が、ロック用突片が常に固定側メンバーの基板方向に移動するよう負荷されるので、ロック用突片は確実に係止部に係止する。
【図面の簡単な説明】
【図１】      本発明のスライドレールの斜視図
【図２】      回動ロック片の斜視図
【図３】      図１のＡ−Ａ線拡大断面図
【図４】      係止部と回動ロック片の係止状態を示す要部正面図
【図５】      移動側メンバーの折曲縁後端が回動ロック片に接触した状態を示す要部正面図
【図６】      図５のＢ−Ｂ線拡大断面図
【図７】      移動側メンバーの折曲縁後端が回動ロック片に回動させた状態を示す要部正面図
【図８】      図７のＣ−Ｃ線拡大断面図
【符号の説明】
１              固定側メンバー
１１            折曲縁
１２            基板
１５            係止部
３              中間メンバー
５              移動側メンバー
７              回動ロック片
７１            取付基板
７２            ロック解除案内突片７２
７３            姿勢維持突片７３
７４            ロック用突片
【図１】
0004002595.tif 000002
【図２】
0004002595.tif 000003
【図３】
0004002595.tif 000004
【図４】
0004002595.tif 000005
【図５】
0004002595.tif 000006
【図６】
0004002595.tif 000007
【図７】
0004002595.tif 000008
【図８】
0004002595.tif 000009